(57)【要約】【課題】本発明は、カップ式飲料自動販売機の排水バケツ７内の菌の発生・増殖を防ぐ手段を採用したカップ式飲料自動販売機を提供することを目的としている。【解決手段】カップ式飲料自動販売機Ａにおいて、長期間、稼働しない場合であっても、排水バケツ７内の菌の発生・増殖を防止するカップ式飲料自動販売機内に設けられた排水バケツ７の排水口に排水トラップ８を設け、さらに排水管９を接続して、この排水管９をカップ式飲料自動販売機外にまで敷設し、これを既設の排水溝、排水管まで接続したことを特徴とするカップ式飲料自動販売機における排水装置。【選択図】図１
2018165970.tif 000002
【特許請求の範囲】
【請求項１】
カップ式飲料自動販売機において、長期間、稼働しない場合であっても、排水バケツ内の菌の発生・増殖を防止するカップ式飲料自動販売機内に設けられた排水バケツの排水口に排水トラップを設け、さらに排水管を接続して、この排水管をカップ式飲料自動販売機外にまで敷設し、これを既設の排水溝、排水管まで接続したことを特徴とするカップ式飲料自動販売機における排水装置。
【請求項２】
カップ式飲料自動販売機において、長期間、稼働しない場合であっても、排水バケツ内の菌の発生・増殖を防止するカップ式飲料自動販売機内に設けられた排水バケツに排水ポンプ用フロートスイッチのＯＮ、ＯＦＦにより、排水ポンプをＯＮ、ＯＦＦし、排水バケツ内の排水を排出できるように構成し、排水ポンプの排水口に、排水管を接続し、この排水管をカップ式飲料自動販売機外にまで敷設し、この排水管の適宜部位に逆止弁を設置し、さらにこの排水管の先端を既設の排水溝、排水管まで接続したことを特徴とするカップ式飲料自動販売機における排水装置。
【発明の詳細な説明】
【技術分野】
【０００１】
本発明は、機体内で飲料原材料を調理してカップ等の容器に入れて販売するカップ式飲料自動販売機における排水装置で、飲料の調理や、調理機器の洗浄に、どうしても排水が出る構造になっているにも関わらず、外部排水の機構が無く、排水バケツや排水タンク等の容器に排水を溜め込む構造となっているのを改良したカップ式飲料自動販売機における排水装置に関するものである。
【背景技術】
【０００２】
コーヒーや清涼飲料水等を販売するカップ式飲料自動販売機では、自動販売機内で飲料を調理販売するため、各種飲料の調理や調理機器の洗浄で排水が出る。この排水は、カップ式飲料自動販売機の内部に排水容器を設け、この排水容器内に溜める仕様になっていて、この排水容器内の排水に菌が発生してしまうという現象があった。
通常は、原材料の補充の際に、排水容器の排水を廃棄することで菌の発生を防止することを行っていた。しかしながら自動販売機の設置場所によって、例えば、ある季節に限って営業をしているため、長期間店舗が閉鎖されている場合や、人の出入りが極端に少なく、自動販売機があまり稼働していない場合、また長期休暇によって、閉鎖されているビル等では、菌の発生を完全に防ぐことができない場合がある。
この問題点の解決は、全てサービスマンが対処しているのが現状である。
これを解決するための従来技術は、特に存在していない。すなわち、従来のカップ式飲料自動販売機の製造販売各社メーカーは、給水設備、すなわち必要なものとして水道直結仕様で、給水できることは要求されるが、排水設備は特に仕様としてなく、単に排水容器に貯水する様式であるので、排水設備は不用であるとされている。従って、カップ式飲料自動販売機の各設置場所には排水設備は必要なく、電気、水道が提供できる所であれば、どのような場所にでも設置できることが歌い文句となって普及され、日本全国どこにも電機、水道があり、購入者が居るような場所には必ず設置されてきた。
従来は、カップ式飲料自動販売機（例えば、特許文献１参照）が存在している。
【先行技術文献】
【特許文献】
【０００３】
【特許文献１】特開平６−９６３５４号公報（特許請求の範囲の欄、発明の詳細な説明の欄、図１を参照）
【発明の概要】
【発明が解決しようとする課題】
【０００４】
前記従来技術は、排水を衛生的に処理するには、カップ式飲料自動販売機を管理運営するオペレータの人手により排水容器に溜まった排水を廃棄することを行うこととなる。この作業を怠ると、菌が発生する恐れがあり、さらに、排水容器満水により販売を停止することになり、販売停滞ロスが発生する。
さらに、販売数が少なく、飲料販売に必要な原料、カップ等の商材、補材の供給が必要なくても、排水容器内の排水を廃棄するためだけに巡回する必要が発生し、オペレートサービスの負担が増大する。
また、現行のカップ式飲料自動販売機は、周囲温度等の環境条件にもよるが、１日の飲料販売数が、ある杯数以上ある場合は、カップ式飲料自動販売機内の配管に滞留している水が動き、販売により水が消費されるため、配管内の滞留水中の菌増殖はないが、毎日の販売数が低下し、配管内の水が長時間動かない場合は、滞留水中に菌が増殖する環境が整ってしまい、配管内の水が腐敗し、異味、異臭の問題が発生してしまう。
この問題を回避させるためには、カップ式飲料自動販売機内の水が腐敗する環境が整わないように、水を動かし、新鮮な水との入れ替えや、古い水の廃棄などの行為を行う必要がある。
本発明は、既存のカップ式飲料自動販売機に簡単に採用することができ、第一の実施例としては、外部排水キットで、カップ式飲料自動販売機内の排水容器（バケツ、タンク）の代わりに、落差により排水が流れ出せるように外部排水ユニット（外部から排水管を伝わって、虫や汚水の異臭が侵入しないように、水トラップ付排水ユニット）を組み入れたキットである。また、第二の実施例として、ポンプ圧送式排水キットで、カップ式飲料自動販売機内の排水容器（バケツ、タンク）に、排水圧送ポンプを取り付け、落差が取れない設置先や、遠く離れた場所まで排水を移送しないといけない場合の排水ユニットである。
【課題を解決するための手段】
【０００５】
本発明の第１発明は、請求項１に記載された通りのカップ式飲料自動販売機における排水装置であり、次のようなものである。
カップ式飲料自動販売機において、長期間、稼働しない場合であっても、排水バケツ内の菌の発生・増殖を防止するカップ式飲料自動販売機内に設けられた排水バケツの排水口に排水トラップを設け、さらに排水管を接続して、この排水管をカップ式飲料自動販売機外にまで敷設し、これを既設の排水溝、排水管まで接続する構成である。
【０００６】
本発明の第２発明は、請求項２に記載された通りのカップ式飲料自動販売機における排水装置であり、次のようなものである。
カップ式飲料自動販売機において、長期間、稼働しない場合であっても、排水バケツ内の菌の発生・増殖を防止するカップ式飲料自動販売機内に設けられた排水バケツに排水ポンプ用フロートスイッチのＯＮ、ＯＦＦにより、排水ポンプをＯＮ、ＯＦＦし、排水バケツ内の排水を排出できるように構成し、排水ポンプの排水口に、排水管を接続し、この排水管をカップ式飲料自動販売機外にまで敷設し、この排水管の適宜部位に逆止弁を設置し、さらにこの排水管の先端を既設の排水溝、排水管まで接続する構成である。
この時、機外配管の一部にフレキシブルに動く部分を設けることにより、固定配管との接続を容易にする。
【発明の効果】
【０００７】
本発明に係るカップ式飲料自動販売機における排水装置は、上記説明のような構成を有するので、従来のカップ式飲料自動販売機の発想の転換により、以下に記載する効果を奏する。
（１）カップ式飲料自動販売機を長期間、使用しない場合であっても、自動販売機内の排水容器に菌が発生・増殖することを防ぐものである。
（２）本発明のカップ式飲料自動販売機では、カップ式飲料自動販売機を管理運営するオペレータが、飲料販売に必要な原料、カップ等の商材、補材の供給が必要な時だけ巡回すれば良く、しかも排水容器の排水を廃棄する必要がなく、オペレータの巡回が効率的になる。
（３）落差の利用が可能な設置場所であれば、カップ式飲料自動販売機の外部へ排水するようなトラップ付排水キットを簡単に導入することができる。
また、既存の流体用圧送ポンプを取り付けることで、落差が取れない設置先や、遠く離れた場所まで排水を圧送しなければならない場合は、ポンプ圧送式排水キットを既存のカップ式飲料自動販売機に簡単に導入することができる。
【図面の簡単な説明】
【０００８】
【図１】本発明のカップ式飲料自動販売機の排水を機外へパイプを介して排出し、排水溝、排水管に送出する一例を示す概略説明図である。
【図２】本発明のカップ式飲料自動販売機内の排水を排水ポンプを介して排出し、排水溝、排水管に送出する一例を示す概略説明図である。
【図３】カップ式飲料自動販売機の従来例を示す概略説明図である。
【発明を実施するための形態】
【０００９】
カップ式飲料自動販売機において、長期間、稼働しない場合であっても、排水バケツ内の菌の発生・増殖を防止するカップ式飲料自動販売機内に設けられた排水バケツの排水口に排水トラップを設け、さらに排水管を接続して、この排水管をカップ式飲料自動販売機外にまで敷設し、これを既設の排水溝、排水管まで接続したカップ式飲料自動販売機における排水装置である。
【実施例】
【００１０】
以下、本発明の実施例について図面に基づいて説明する。
長期に亘ってカップ式飲料自動販売機Ａが稼働していない場合等、排水バケツ７内に規定内以上の排水が残存していることのないように排水を排送できるようにすることで排水バケツ７内の菌が発生しないようにしたものである。
例えば、図３に示すような従来の水フィルター、リザーバー、給水ポンプ（図示せず）、リンスバルブ１、攪拌機２、排水受け３、オーバーフロー検知フロート５、製氷機４、湯タンク（図示せず）、水槽６、排水バケツ７で構成された一般的なカップ式飲料自動販売機Ａでは、リンスバルブ１とシャワーを使ってシャワー洗浄をするために排水が出てしまうので、排水バケツ７の部分で菌が大量発生する可能性がある。
そこで、既存のカップ式飲料自動販売機Ａであっても、大幅な改造を必要とせずに、菌の大量発生を防ぐために、従来は、カップ式飲料自動販売機Ａの排水については、各メーカーも、カップ式飲料自動販売機を管理運営するオペレータも排水については、機内に排水容器（バケツ、タンク等）を設けるだけの貯水する方式を採用するのが常識とされ、カタログ等での説明も、電源と水道水を直結できる水道直結方式の条件が整えば、設置可能であると謳われていた。ところが、各種飲料の調理や調理機器の洗浄で排水が出る。この排水は、カップ式飲料自動販売機の内部に排水容器を設け、この排水容器内に溜める仕様になっていて、この排水容器内の排水に菌が発生してしまうという現象があった。これを解決しないと衛生上、問題が発生する恐れがある（特に最近は、コンプライアンスの点から問題視されている。）
図１に示すように、カップ式飲料自動販売機Ａは、機内に水道水を供給するか、給水ポンプ（図示せず）を介して給水タンク（図示せず）より水を供給する構造を備えており、排水を貯めるための排水受け３の機能を持つ排水バケツ７を備えている。これは、カップ式飲料自動販売機Ａの設置場所の条件により、給水を水道直結にしたり、給水タンクに貯めた水を給水ポンプで供給する場合に採用されるものである。
例えば、カップ式飲料自動販売機Ａの設置場所が企業である場合、長期休暇等で、メンテナンスを行うことができないことがあり、従って、排水バケツ７から排水を廃棄することができない場合、排水を貯める排水バケツ７が溢れてしまうという問題が発生する。これを防止するために、図１、図２に示すようなカップ式飲料自動販売機では、排水バケツ７内に貯められる排水が満水になったことを検知するためのフロートスイッチ等を設け、満水を検知した場合には、直ちに販売をストップする制御機構を設け、排水バケツ７内の排水が溢れてしまうことを防止する機能を有している。このような機能を有していても、菌の発生はなかなか防止することができない。
そのため、カップ式飲料自動販売機は、排水直結型（図１参照）にすることで機内配管の菌の発生・増殖を防ぐことができる。排水ポンプ用フロートスイッチ１１のＯＮ、ＯＦＦに合わせて、排水ポンプ１０を作動させ、排水バケツ７内の排水を排出し、機外に配管して、排水溝、排水管を介して排水するものである。
なお、機外配管の一部にフレキシブルに動くフレキシブルジョイント１３を設けることにより、固定配管との接続を容易にすることができる。
また、排水ポンプ１０停止時の配管内排水の逆流を防止するために、逆止弁１２を設けることはいうまでもない。
このように構成することで、排水バケツ７内の排水による菌の発生を極力防止するものである。
また図１、図２のように、カップ式飲料自動販売機は、排水タンク７内の水の満水を検知するためのオーバーフロート検知フロート５等を設け、満水を検知した場合には、直ちに給水を停止し、排水が溢れてしまうことを防止する機能も有している。
【産業上の利用可能性】
【００１１】
新設のカップ式飲料自動販売だけでなく、既存のカップ式飲料自動販売機でも利用することができる。
【符号の説明】
【００１２】
１・・・・リンスバルブ
２・・・・攪拌機
３・・・・排水受け
４・・・・製氷機
５・・・・オーバーフロー検知フロート
６・・・・水槽
７・・・・排水バケツ、排水タンク
８・・・・排水トラップ
９・・・・排水管
１０・・・・排水ポンプ
１１・・・・排水ポンプ用フロートスイッチ
１２・・・・逆止弁
１３・・・・フレキシブルジョイント
Ａ・・・・カップ式飲料自動販売機
【図１】
2018165970.tif 000003
【図２】
2018165970.tif 000004
【図３】
2018165970.tif 000005